【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
情報処理装置であって、
オンオフ可能な力率改善回路を有し、前記情報処理装置の所定の負荷に電力を供給する電力供給手段と、
前記情報処理装置を、前記所定の負荷への電力供給が停止されている省電力状態から復帰させる信号が入力されたことに従って、前記電力供給手段から前記所定の負荷に電力が供給されるよう制御する電源制御手段と、を有し、
前記電源制御手段は、前記情報処理装置を前記省電力状態から復帰させる要因に基づいて、前記力率改善回路をオンにするかどうかを決定する、ことを特徴とする情報処理装置。
【請求項２】
前記電源制御手段は、
前記力率改善回路をオンにすると決定した場合、前記力率改善回路をオンして、その所定の遅延時間後に、前記電力供給手段から前記所定の負荷に電力が供給されるよう制御する、ことを特徴とする請求項１に記載の情報処理装置。
【請求項３】
前記電源制御手段は、
前記力率改善回路をオンしないと決定した場合、前記所定の遅延時間を待たずに、前記電力供給手段から前記所定の負荷に電力が供給されるよう制御する、ことを特徴とする請求項２に記載の情報処理装置。
【請求項４】
前記電源制御手段は、
前記情報処理装置を前記省電力状態に移行させる信号が入力されたことに従って、前記力率改善回路をオフする、ことを特徴とする請求項１乃至３の何れか１項に記載の情報処理装置。
【請求項５】
前記電源制御手段は、
前記情報処理装置を前記省電力状態に移行させる信号が入力されたことに従って、前記負荷への電力供給が停止されるよう制御した後に、前記力率改善回路をオフする、ことを特徴とする請求項４に記載の情報処理装置。
【請求項６】
前記情報処理装置を前記省電力状態から復帰させる復帰ボタンをさらに備え、
前記電源制御手段は、
前記要因が前記復帰ボタンの押下であれば、前記力率改善回路をオンすると決定する、ことを特徴とする請求項１乃至５の何れか１項に記載の情報処理装置。
【請求項７】
ファクスデータを受信するファクス部をさらに備え、
前記電源制御手段は、
前記要因が前記ファクスデータの受信であれば、前記力率改善回路をオンすると決定する、ことを特徴とする請求項１乃至６の何れか１項に記載の情報処理装置。
【請求項８】
外部装置からデータを受信するネットワークインターフェースをさらに備え、
前記電源制御手段は、
前記要因が前記ネットワークインターフェースによる第１タイプのデータの受信であれば、前記力率改善回路をオンすると決定し、前記要因が前記ネットワークインターフェースによる第２タイプのデータの受信であれば、前記力率改善回路をオンしないと決定する、ことを特徴とする請求項１乃至７の何れか１項に記載の情報処理装置。
【請求項９】
用紙に画像を印刷する印刷部をさらに備える、ことを特徴とする請求項１乃至８の何れか１項に記載の情報処理装置。
【請求項１０】
前記電源制御手段は、
前記要因が前記印刷部に印刷を実行させる印刷ジョブの受信であれば、前記力率改善回路をオンすると決定する、ことを特徴とする請求項９に記載の情報処理装置。
【請求項１１】
情報処理装置であって、
オンオフ可能な力率改善回路を有し、前記情報処理装置の所定の負荷に電力を供給する電力供給手段と、
前記情報処理装置を、前記所定の負荷への電力供給が停止されている省電力状態から復帰させる信号が入力されたことに従って、前記電力供給手段から前記所定の負荷に電力が供給されるよう制御する電源制御手段と、を有し、
前記電源制御手段は、
前記情報処理装置を前記省電力状態から復帰させる要因が第１要因であれば、前記力率改善回路をオンにし、前記電力供給手段から前記所定の負荷に電力が供給されるよう制御し、
前記情報処理装置を前記省電力状態から復帰させる要因が第２要因であれば、前記力率改善回路をオンせずに、前記電力供給手段から前記所定の負荷に電力が供給されるよう制御する、ことを特徴とする情報処理装置。
【請求項１２】
前記電源制御手段は、
前記情報処理装置を前記省電力状態から復帰させる要因が前記第１要因であれば、前記力率改善回路をオンにして、その所定の遅延時間後に、前記電力供給手段から前記所定の負荷に電力が供給されるよう制御する、ことを特徴とする請求項１１に記載の情報処理装置。
【請求項１３】
前記電源制御手段は、
前記情報処理装置を前記省電力状態から復帰させる要因が前記第２要因であれば、前記所定の遅延時間を待たずに、前記電力供給手段から前記所定の負荷に電力が供給されるよう制御する、ことを特徴とする請求項１２に記載の情報処理装置。
【請求項１４】
前記電源制御手段は、
前記情報処理装置を前記省電力状態に移行させる信号が入力されたことに従って、前記力率改善回路をオフする、ことを特徴とする請求項１１乃至１３の何れか１項に記載の情報処理装置。
【請求項１５】
前記電源制御手段は、
前記情報処理装置を前記省電力状態に移行させる信号が入力されたことに従って、前記負荷への電力供給が停止されるよう制御した後に、前記力率改善回路をオフする、ことを特徴とする請求項１４に記載の情報処理装置。
【請求項１６】
前記情報処理装置を前記省電力状態から復帰させる復帰ボタンをさらに備え、
前記第１要因は、前記復帰ボタンの押下である、ことを特徴とする請求項１１乃至１５の何れか１項に記載の情報処理装置。
【請求項１７】
ファクスデータを受信するファクス部をさらに備え、
前記第１要因は、前記ファクスデータの受信である、ことを特徴とする請求項１１乃至１６の何れか１項に記載の情報処理装置。
【請求項１８】
外部装置からデータを受信するネットワークインターフェースをさらに備え、
前記第１要因は、前記ネットワークインターフェースによる第１タイプのデータの受信であり、前記第２要因は、前記ネットワークインターフェースによる第２タイプのデータの受信である、ことを特徴とする請求項１１乃至１７の何れか１項に記載の情報処理装置。
【請求項１９】
用紙に画像を印刷する印刷部をさらに備える、ことを特徴とする請求項１１乃至１８の何れか１項に記載の情報処理装置。
【請求項２０】
前記第１要因は、前記印刷部に印刷を実行させる印刷ジョブの受信である、ことを特徴とする請求項１９に記載の情報処理装置。
【請求項２１】
情報処理装置の制御方法であって、
前記情報処理装置は、オンオフ可能な力率改善回路を有し、前記情報処理装置の所定の負荷に電力を供給する電力供給手段を備え、
前記情報処理装置の所定の負荷への電力供給が停止されている省電力状態に移行するステップと、
前記情報処理装置を前記省電力状態から復帰させる信号が入力されたことに従って、前記電力供給手段から前記所定の負荷に電力が供給されるよう制御するステップと、
前記情報処理装置を前記省電力状態から復帰させる要因に基づいて、前記力率改善回路をオンにするか否かどうかを決定するステップと、を有することを特徴とする情報処理装置の制御方法。
【請求項２２】
情報処理装置の制御方法であって、
前記情報処理装置は、オンオフ可能な力率改善回路を有し、前記情報処理装置の所定の負荷に電力を供給する電力供給手段を備え、
前記情報処理装置の所定の負荷への電力供給が停止されている省電力状態に移行するステップと、
前記情報処理装置を前記省電力状態から復帰させる信号を受信するステップと、
前記情報処理装置を前記省電力状態から復帰させる要因が第１要因であれば、前記力率改善回路をオンにし、前記電力供給手段から前記所定の負荷に電力が供給されるよう制御するステップと、
前記情報処理装置を前記省電力状態から復帰させる要因が第２要因であれば、前記力率改善回路をオンせずに、前記電力供給手段から前記所定の負荷に電力が供給されるよう制御するステップと、を有することを特徴とする情報処理装置の制御方法。
【手続補正２】
【補正対象書類名】明細書
【補正対象項目名】発明の名称
【補正方法】変更
【補正の内容】
【発明の名称】情報処理装置及び情報処理装置の制御方法
【手続補正３】
【補正対象書類名】明細書
【補正対象項目名】０００１
【補正方法】変更
【補正の内容】
【０００１】
本発明は、情報処理装置及び情報処理装置の制御方法に関するものである。
【手続補正４】
【補正対象書類名】明細書
【補正対象項目名】０００９
【補正方法】変更
【補正の内容】
【０００９】
本発明は、情報処理装置であって、オンオフ可能な力率改善回路を有し、前記情報処理装置の所定の負荷に電力を供給する電力供給手段と、前記情報処理装置を、前記所定の負荷への電力供給が停止されている省電力状態から復帰させる信号が入力されたことに従って、前記電力供給手段から前記所定の負荷に電力が供給されるよう制御する電源制御手段と、を有し、前記電源制御手段は、前記情報処理装置を前記省電力状態から復帰させる要因に基づいて、前記力率改善回路をオンにするかどうかを決定する、ことを特徴とする。